(57)【要約】【課題】  ディジタルコンテンツの著作権を保護しつつ、使い勝手よく別機器でコンテンツを再生する仕組みを提供すること。【解決手段】  コンテンツの記録・送信機器と、受信・再生機器と、IDを持つ外部記憶媒体とからなるシステムを用いる。外部記憶媒体を受信・再生機器に接続し、IDを記録・送信機器に送信して確認してから、コンテンツを配信する。外部記憶媒体にコンテンツの一覧を格納しておく。コンテンツが複数の機器に記録されている場合は、外部記憶媒体が接続されている機器のみが再生できるようにする。コンテンツの再生機能をコンポーネント形式のプログラムで実装する。【選択図】  図１
2005267304.tif 000002
【特許請求の範囲】
【請求項１】
記録機器と、再生機器と、固有情報を保持する外部記憶媒体とからなる記録・再生システムであって、
前記記録機器は、
コンテンツを記録する記録手段と、
前記再生機器と通信する通信手段と、
前記外部記憶媒体にデータを読み書きする外部記憶媒体管理手段と、
前記外部記憶媒体の固有情報と、記録したコンテンツを対応付けて記録するステップと、
前記記録したコンテンツの情報と、他の機器と前記記録機器との通信に必要な前記記録機器の通信情報を、前記外部記憶媒体に書き込むステップと、
前記外部記憶媒体から固有情報と通信情報を読み出す手段を有する前記再生機器から受信した前記外部記憶媒体の固有情報が、前記対応付けて記録した固有情報と一致することを確認するステップと、
前記固有情報が一致することを確認した後、前記固有情報と対応付けて記録されているコンテンツを、前記再生機器に送信する処理ステップを有することを特徴とする記録・再生システム。
【請求項２】
記録機器と、再生機器と、固有情報を保持する外部記憶媒体とからなる記録・再生システムに用いられる記録機器において、
コンテンツを記録する記録手段と、
前記再生機器と通信する通信手段と、
前記外部記憶媒体にデータを読み書きする外部記憶媒体管理手段と、
前記外部記憶媒体の固有情報と、記録したコンテンツを対応付けて記録する手段と、
前記記録したコンテンツの情報と、他の機器と前記記録機器との通信に必要な前記記録機器の通信情報を、前記外部記憶媒体に書き込む手段と、
前記外部記憶媒体から固有情報と通信情報を読み出す手段を有する前記再生機器から受信した前記外部記憶媒体の固有情報が、前記対応付けて記録した固有情報と一致することを確認する手段とを有し、
前記固有情報が一致することを確認した後、前記固有情報と対応付けて記録されているコンテンツを、前記再生機器に送信することを特徴とする記録機器。
【請求項３】
記録されたコンテンツを有する記録機器と、再生機器と、固有情報を保持する外部記憶媒体とからなる記録・再生システムに用いられる再生機器において、
前記外部記憶媒体の固有情報と前記記録されたコンテンツとが対応付けて記録されたコンテンツを有する記録機器と通信する通信手段と、
前記記録機器との通信に必要な前記記録機器の通信情報を更に有する前記外部記憶媒体からデータを読み出す外部記憶媒体管理手段と、
前記外部記憶媒体管理手段から読み出した前記通信情報を用いて前記固有情報を前記記録機器に送信する手段とを有し、
前記送信した固有情報をもとに確認を行った前記記録機器から送信されるコンテンツを受信し再生することを特徴とする再生機器。
【請求項４】
コンテンツを記録し送信する記録・送信機器と、前記記録・送信機器からコンテンツデータを受信し再生する受信・再生機器と、固有情報を保持し持ち運び可能な外部記憶媒体を有する記録・再生システムであって、
前記記録・送信機器は、
前記コンテンツを記録する記録手段と、
前記受信・再生機器と通信する通信手段と、
前記外部記憶媒体にデータを読み書きする外部記憶媒体管理手段と、
前記外部記憶媒体の固有情報と、記録したコンテンツを対応付けて記録する処理ステップと、
前記記録したコンテンツの情報と、他の機器と前記記録・送信機器との通信に必要な前記記録・送信機器の通信情報を、前記外部記憶媒体に書き込む処理ステップと、
前記受信・再生機器から受信した前記外部記憶媒体の固有情報が、前記対応付けて記録した固有情報と一致することを確認する処理ステップと、
前記確認する処理ステップにおいて固有情報が一致することを確認した後、前記固有情報と対応付けて記録されているコンテンツを、前記受信・再生機器に送信する処理ステップを有し、
前記受信・再生機器は、
前記記録・送信機器と通信する通信手段と、
前記外部記憶媒体からデータを読み出す外部記憶媒体管理手段と、
受信した前記コンテンツを再生する再生手段と、
前記固有情報と前記コンテンツ情報と前記通信情報を、前記外部記憶媒体から読み出す処理ステップと、
前記読み出した固有情報を、前記記録・送信機器に送信する処理ステップと、
前記読み出したコンテンツ情報を、表示するステップと、
利用者が選択したコンテンツを特定し、該コンテンツに対応付けられている前記通信情報を用いて、前記記録・送信機器に該コンテンツを要求する処理ステップを有することを特徴とする記録・再生システム。
【請求項５】
請求項４に記載の記録・再生システムであって、
前記記録・送信機器は、
前記記録したコンテンツを再生する再生手段と、
前記再生するコンテンツと対応付けて記録された固有情報が、請求項１に記載の外部記憶媒体から読み取った固有情報と一致すること確認する処理ステップと、
前記確認する処理ステップにおいて固有情報が一致することを確認した後、前記コンテンツを再生する処理ステップを有し、
前記受信・再生機器は、
前記受信したコンテンツを記録する記録手段と、
前記記録したコンテンツと対応付けて記録された固有情報が、前記外部記憶媒体から読み取った固有情報と一致すること確認する処理ステップと、
前記確認する処理ステップにおいて固有情報が一致することを確認した後、前記コンテンツを再生する処理ステップを有することを特徴とする記録・再生システム。
【請求項６】
請求項４に記載の記録・再生システムであって、
前記記録・送信機器は、
前記コンテンツ情報を、前記受信・再生機器に送信する処理ステップと、
前記受信・再生機器は、
前記送信された前記コンテンツ情報を受信する処理ステップと、
前記受信・再生機器に接続された前記外部記憶媒体に、前記受信したコンテンツ情報を書き込む処理ステップを有することを特徴とする記録・再生システム。
【請求項７】
請求項４に記載の記録・再生システムであって、
前記記録・送信機器は、
前記コンテンツに対して、前記固有情報を用いた暗号処理を施す処理ステップを有し、
前記受信・再生機器は、
前記暗号処理を施されたコンテンツに対して、前記固有情報を用いた復号処理を施す処理ステップを有することを特徴とする記録・再生システム。
【請求項８】
コンテンツを記録し送信する記録・送信機器と、前記記録・送信機器からコンテンツデータを受信し再生する受信・再生機器を有する記録・再生システムであって、
前記記録・送信機器は、
前記コンテンツを記録する記録手段と、
前記受信・再生機器と通信する通信手段と、
記録した前記コンテンツを再生する再生手段と、
前記コンテンツを暗号化して記録し、元のコンテンツを削除する処理ステップと、
前記暗号化コンテンツの再生に必要な鍵情報を用いて、前記暗号化コンテンツを復号化しながら再生する処理ステップと、
前記暗号化コンテンツを前記受信・再生機器に送信する処理ステップと、
前記鍵情報を前記受信・再生機器に送信し、前記記録・送信機器内の前記鍵情報を削除する処理ステップを有し、
前記受信・再生機器は、
前記記録・送信機器と通信する通信手段と、
前記コンテンツを記録する記録手段と、
記録した前記コンテンツを再生する再生手段と、
前記記録・送信機器から受信した前記暗号化コンテンツを記録する処理ステップと、
前記記録・送信機器から受信した前記鍵情報を記録する処理ステップと、
前記鍵情報を用いて、前記暗号化コンテンツを復号化しながら再生する処理ステップと、
前記鍵情報を前記記録・送信機器に送信し、前記受信・再生機器内の前記鍵情報を削除する処理ステップを有することを特徴とする記録・再生システム。
【請求項９】
コンテンツを記録し送信する記録・送信機器と、前記記録・送信機器からコンテンツデータを受信し再生する受信・再生機器と、固有情報を保持し持ち運び可能な外部記憶媒体を有する記録・再生システムに用いられる記録・送信機器において、
前記コンテンツを記録する記録手段と、
前記受信・再生機器と通信する通信手段と、
前記外部記憶媒体にデータを読み書きする外部記憶媒体管理手段と、
前記外部記憶媒体の固有情報と、記録したコンテンツを対応付けて記録する手段と、
前記記録したコンテンツの情報と、他の機器と前記記録・送信機器との通信に必要な前記記録・送信機器の通信情報を、前記外部記憶媒体に書き込む手段と、
前記受信・再生機器において読み出された外部記憶媒体の有する通信情報を用いて前記受信・再生機器から送信された前記外部記憶媒体の固有情報が、前記対応付けて記録した固有情報と一致することを確認する手段と、
前記固有情報が一致することを確認した後、前記固有情報と対応付けて記録されているコンテンツを、前記受信・再生機器に送信する手段を有することを特徴とする記録・送信機器。
【請求項１０】
記録されたコンテンツを有する記録・送信機器と、前記記録・送信機器からコンテンツデータを受信し再生する受信・再生機器と、固有情報を保持する外部記憶媒体を有する記録・再生システムに用いられる受信・再生機器において、
前記外部記憶媒体の固有情報と前記記録されたコンテンツとが対応付けて記録されたコンテンツを有する記録・送信機器と通信する通信手段と、
前記記録・送信機器との通信に必要な前記記録・送信機器の通信情報を更に有する前記外部記憶媒体からデータを読み出す外部記憶媒体管理手段と、
前記外部記憶媒体管理手段から読み出した前記通信情報を用いて前記固有情報を前記記録・送信機器に送信する手段と、
前記送信した固有情報をもとに確認を行った前記記録・送信機器から送信されるコンテンツを受信し再生する手段を有することを特徴とする受信・再生機器。
【請求項１１】
請求項４に記載の記録・再生システムであって、
前記記録・送信機器の送信する処理ステップは、
前記確認する処理ステップにおいて前記固有情報が一致することを確認した後、前記固有情報と対応付けて記録されているコンテンツと共に、該コンテンツの再生機能を実装したコンポーネント形式のプログラムを、前記受信・再生機器に送信するものであり、
前記受信・再生機器の再生手段は、
前記記録・送信機器から受信した前記再生に必要なコンポーネント形式のプログラムを利用して、前記コンテンツを再生することを特徴とする記録・再生システム。
【発明の詳細な説明】
【技術分野】
【０００１】
本発明は、使い勝手よく別機器でコンテンツを再生するための記録・再生装置及びシステムに関する。
【背景技術】
【０００２】
従来は、ディジタルコンテンツの不正コピーを防ぎつつも、複数の端末による一時的なコンテンツデータの共有を実現するために、通信手段を備えた情報端末及び暗号化を解く鍵を格納した外部記憶手段を設け、情報端末に記録された暗号化データを参照する際に、外部記憶手段に記録した暗号化を解くための鍵を、一旦情報端末の記憶手段にコピーし、そのコピーした鍵を用いてデータを復号する回数を制限する構成としている（例えば、特許文献１参照）。
【０００３】
【特許文献１】特開2002-190795号公報
【発明の開示】
【発明が解決しようとする課題】
【０００４】
上記のような技術では、コンテンツの再生回数が制限されるため、例えばハードディスク記録装置付きのテレビ放送受信機のように、放送されたコンテンツを受信機において保存し、受信者が回数の制限なく再生するという使い方に対応できない。
また、上記のような技術では、コンテンツの再生回数を制限できても複製が可能であるため、コンテンツの複製が一度のみに制限されている地上デジタル放送の受信機などのように、受信後に保存したコンテンツデータを他の機器に対して転送する際に、その転送処理がコンテンツの複製に当らないよう、保存してあるデータを消去することなどが求められる機器には、適用できない。
また、利用者が、手元にある機器に格納していないコンテンツデータをネットワーク経由で入手して再生する場合には、どのようなコンテンツがどの機器に格納してありどうやって通信するか、といった情報を得る必要があり、使い勝手が悪かった。
本発明は、上記事情に鑑みてなされたものであり、本発明の目的は、ディジタルコンテンツの著作権を保護しつつ、使い勝手よく別機器でコンテンツを再生する仕組みを提供することにある。
【課題を解決するための手段】
【０００５】
上記の課題を解決するため、本発明では、ディジタルコンテンツを記録し、他の機器に送信する記録・送信機器（または記録機器）と、この記録・送信機器からのコンテンツデータを受信し、再生する受信・再生機器（または再生機器）と、固有情報（固有番号）を保持し、持ち運び可能な外部記憶媒体とからなるシステムを用いる。
記録・送信機器は、外部記憶媒体の固有情報を読み取って格納しておき、受信・再生機器からのコンテンツ配信要求を受けた際に、受信・再生機器から受信した固有情報が、格納してある固有情報と一致するか否かを確認する。固有情報が一致した場合は、受信・再生機器に対してコンテンツを配信し、一致しなかった場合は配信しない。
【０００６】
また、本発明では、コンテンツは、外部記憶媒体が保持する鍵情報によって復号化されるように暗号化されて配信される。記録・送信機器は、自機器上に再生手段を保持している場合は、自機器に外部記憶媒体が接続している間のみ、記録しているコンテンツを再生する。また、受信・再生機器は、自機器上に記録手段を保持している場合は、自機器に外部記憶媒体が接続している間のみ、記録している暗号化されたコンテンツを復号して再生することができる。
また、本発明では、記録・送信機器は、自機器内に記録しているコンテンツの番号・名称・長さ・品質・ダイジェストなどのコンテンツ情報と、自機器との通信に必要なアドレス・暗号鍵などの通信用情報を、外部記憶媒体に格納する。受信・再生機器は、接続した外部記憶媒体が保持するこれらのコンテンツ情報を表示し、利用者が選択したコンテンツの配信要求を、通信用情報を用いて記録・送信機器に送る。
また、本発明では、記録・送信機器が、コンテンツと共に、コンテンツの再生機能を実装したコンポーネント形式のプログラムを受信・再生機器に送信し、受信・再生機器は、このプログラムを用いてコンテンツを再生可能な状態にする。
【０００７】
本発明によれば、外部記憶媒体の固有情報を用いた確認により、コンテンツデータの配信先の機器が外部記憶媒体と接続しているか否かが分かる。このため、記録・送信機器は、登録してある固有情報をもつ外部記憶媒体が接続している受信・再生機器にのみ、コンテンツデータを配信することができる。
また、本発明によれば、記録・送信機器に再生手段があり、受信・再生機器に記録手段がある場合においても、同一コンテンツの再生は、外部記憶媒体が接続されているどちらか片方の機器に限られる。このため、実際には暗号化されたコンテンツが両機器に記録されていたとしても、実質的にはコンテンツを複製していないのと同じこととなる。
また、本発明によれば、利用者にはあたかも外部記憶媒体内にコンテンツデータが格納されているように見え、実際の格納先を気にすることなく再生させて視聴することができる。
【０００８】
また、本発明によれば、コンテンツの再生機能をコンポーネント形式のプログラムで実装しており、他の機器が受け取って利用することができる。このため、受信・再生機器は、対応していない符号化方式のコンテンツであっても、再生することができる。また、受信・再生機器が、外部記憶媒体が接続されている場合にのみコンテンツを再生するという機能を実装していなくても、前期プログラムを利用して実現することができる。
以上のように、本発明によれば、ディジタルコンテンツの著作権を保護しつつ、使い勝手よく別機器でコンテンツを再生する仕組みを提供することができる。
【発明の効果】
【０００９】
本発明によれば、使い勝手よくコンテンツを再生する仕組みを提供することができる。
【発明を実施するための最良の形態】
【００１０】
以下、本発明の実施の形態について図面を用いて説明する。
【実施例１】
【００１１】
以下、本発明の実施例１について説明する。
まず、本実施例におけるシステムの構成概要について、図１を用いて説明する。
図１において、１は記録・送信機器、２は受信・再生機器、３は外部記憶媒体、４はネットワークである。
記録・送信機器１は、放送されたコンテンツを受信して記録し、他の機器に配信する機能を持つ電子機器である。また、記録・送信機器１は、受信・再生機器２とネットワーク４を介して通信する機能と、外部記憶媒体３と接続してデータを読み書きする機能を持つ。記録・送信機器１の例としては、自宅の居間に設置してある、ハードディスク記録装置付きのテレビ放送受信機、テレビ放送受信機能付きのPC（Personal Computer）などがある。
【００１２】
受信・再生機器２は、利用者が再生を希望するコンテンツの配信要求を、記録・送信機器１に送信し、記録・送信機器１から送信されたコンテンツを受信し、再生する機能を持つ電子機器である。また、受信・再生機器２は、記録・送信機器１とネットワーク４を介して通信する機能と、外部記憶媒体３と接続してデータを読み書きする機能を持つ。受信・再生機器２の例としては、自宅の寝室に設置してあるノートPC、友人宅の居間に設置してあるネットワーク通信対応テレビ、駅や空港に設置してあるキオスク端末などがある。
【００１３】
外部記憶媒体３は、記録・送信機器１や受信・再生機器２から独立した記憶媒体である。外部記憶媒体３の例としては、USBメモリ、ICカード、携帯電話などがある。
ネットワーク４は、記録・送信機器１と受信・再生機器２との間にある通信路である。ネットワーク４の例としては、インターネット、家庭内ネットワーク、社内ネットワークなどがある。
【００１４】
次に、本実施例における上記のシステムを構成する各機器が、保持し、互いに伝送する情報について、図２を用いて説明する。
記録・送信機器１は、コンテンツと、コンテンツ情報と、通信情報を保持する。コンテンツ情報は、記録しているコンテンツの番号・名称・長さ・品質・ダイジェストデータなど、コンテンツを識別する情報とコンテンツの特徴を示す情報からなる。また、通信情報は、機器番号・ネットワークアドレス・通信方式・暗号方式・暗号鍵など、他機器が自機器とネットワーク通信する際に必要となる情報である。記録・送信機器１は、コンテンツ情報と通信情報を、外部記憶媒体３に書き込み、IDを、外部記憶媒体３から読み込んでコンテンツ情報と対応づけて保持する。
【００１５】
外部記憶媒体３は、固有識別子、すなわちIDを保持している。また、記録・送信機器１に書き込まれたコンテンツ情報と通信情報を保持する。
受信・再生機器２は、IDとコンテンツ情報と通信情報を、外部記憶媒体３から読み込む。
記録・送信機器１は、ID要求とコンテンツデータを、受信・再生機器２に送信し、受信・再生機器２は、コンテンツ要求とIDを、記録・送信機器１に送信する。
【００１６】
次に、本実施例における上記のシステムを構成する各機器の概略構成について図３を用いて説明する。
図３に示す様に本実施例の記録・送信機器１は、通信装置１１と、制御装置１２と、外部記憶媒体管理装置１３と、放送受信装置１４と、記録装置１５とを有している。
通信装置１１は、ネットワーク４を介して受信・再生機器２と通信を行う装置である。
制御装置１２は、保持しているプログラムを実行し、記録・送信機器１全体の動作を制御する装置である。放送受信装置１４が受信したコンテンツと、そのコンテンツ情報を、記録装置１５に転送し、記録させる。また、コンテンツ情報と通信情報を、外部記憶媒体管理装置１３に転送し、外部記憶媒体３に書き込ませる。また、外部記憶媒体管理装置１３に、外部記憶媒体３のIDを読み込ませ、記録装置１５に転送して記録させて、コンテンツ情報と対応付けて管理する。また、通信装置１１が受信・再生機器２から受信したコンテンツ要求に対し、ID要求を生成し、通信装置１１に転送して、受信・再生機器２に送信させる。また、通信装置１１が受信・再生機器２から受信したIDに対し、記録装置１５に記録してあるIDと一致するかどうか確認する。また、コンテンツにIDを用いた暗号処理を施し、通信装置１１に転送して、受信・再生機器２に送信させる。また、コンテンツの再生機能を実装したコンポーネント形式のプログラムを、通信装置１１に転送して、受信・再生機器２に送信させる。
【００１７】
外部記憶媒体管理装置１３は、接続された外部記憶媒体３と通信を行ない、外部記憶媒体３のIDを読み取り、コンテンツ情報や通信情報を書き込む装置である。
放送受信装置１４は、放送されているコンテンツを受信する装置である。
記録装置１５は、コンテンツ、コンテンツ情報、通信情報、外部記憶媒体３のIDなどを記録する装置である。記録装置１５の例としては、ディスク、テープ、半導体などがある。
【００１８】
また、図３に示す様に本実施例の受信・再生機器２は、通信装置２１と、制御装置２２と、外部記憶媒体管理装置２３と、入力装置２４と、出力装置２５とを有している。
通信装置２１は、ネットワーク４を介して記録・送信機器１と通信を行う装置である。
制御装置２２は、保持しているプログラムを実行し、受信・再生機器２全体の動作を制御する装置である。外部記憶媒体管理装置２３に、外部記憶媒体３が保持するコンテンツ情報・通信情報・IDを読み込ませる。コンテンツ情報を出力装置２５に転送し、表示させる。入力装置２４から得た利用者の操作内容に従ってコンテンツ要求を生成し、通信装置２１に転送して、記録・再生機器１に送信させる。通信装置２１が記録・再生機器１から受信したID要求に対し、IDを通信装置２１に転送し、記録・再生機器１に送信させる。通信装置２１が記録・再生機器１から受信した暗号化されたコンテンツを復号化し、出力装置２５に転送して、表示させる。また、通信装置２１が記録・再生機器１から受信した、コンテンツの再生機能を実装したコンポーネント形式のプログラムを用いてコンテンツを再生可能な状態にし、出力装置２５に転送して、表示させる。
【００１９】
外部記憶媒体管理装置２３は、接続された外部記憶媒体３と通信を行ない、外部記憶媒体３が保持するコンテンツ情報・通信情報・IDを読み込む装置である。
入力装置２４は、利用者が受信・再生機器２を操作するための装置である。入力装置２４の例としては、ボタン、スイッチ、キー、ダイアル、スティック、パッド、マウスなどがある。
出力装置２５は、コンテンツの情報、コンテンツの再生結果、受信・再生機器２の操作に関する情報などを、利用者に対して表示する装置である。出力装置２５の例としては、モニタ、ランプ、スピーカ、バイブレータなどがある。
【００２０】
以下、本実施例において、外部記憶媒体３が接続されている場合の記録・送信機器１の動作について、図４を用いて説明する。
まず、放送受信装置１４は、放送されているコンテンツを受信し、記録装置１５は、受信したコンテンツを記録する（ステップ１００１）。次に、制御装置１２は、受信したコンテンツからコンテンツ情報を作成し、記録装置１５は、コンテンツ情報を記録する（ステップ１００２）。次に、外部記憶媒体管理装置１３は、接続している外部記憶媒体３のIDを読み出し、記録装置１５は、読み出したIDを記録する（ステップ１００３）。次に、外部記憶媒体管理装置１３は、記録装置１５に記録されているコンテンツ情報と通信情報を、外部記憶媒体３に書き込む（ステップ１００４）。
【００２１】
以下、本実施例において、利用者が、外部記憶媒体３を受信・再生機器２に接続して、コンテンツを再生しようとする場合のシステムの動作について、図５を用いて説明する。
まず、受信・再生機器２において、外部記憶媒体管理装置２３は、接続している外部記憶媒体３が保持しているコンテンツ情報を読み出し、出力装置２５は、読み出したコンテンツ情報を表示する（ステップ２００１）。次に、制御装置２２は、利用者の入力装置２４の操作内容から、再生しようとしているコンテンツと、そのコンテンツを記録している機器を特定する（ステップ２００２）。本実施例においては、コンテンツを記録している機器は、記録・再生機器１である。次に、制御装置２２は、特定したコンテンツの配信要求を生成し、通信装置２１は、生成した配信要求を記録・再生機器１に送信する（ステップ２００３）。
【００２２】
次に、記録・再生機器１において、制御装置１２は、配信を要求されたコンテンツが、コピーフリーか否かを確認する（ステップ２００４）。コピーフリーコンテンツならば（ステップ２００４のYes）、通信装置１１は、コンテンツを受信・再生装置２に送信する（ステップ２０１０）。コピーフリーコンテンツでないならば（ステップ２００４のNo）、制御装置１２は、ID要求を生成し、通信装置１１は、生成したID要求を受信・再生装置２に送信する（ステップ２００５）。
次に、受信・再生装置２において、外部記憶媒体管理装置２３は、接続している外部記憶媒体３のIDを読み取り（ステップ２００６）、通信装置２１は、読み取ったIDを記録・送信装置１に送信する（ステップ２００７）。なお、ステップ２００７で送信するIDは、ステップ２００３において、配信要求と共に送信してもよい。この場合は、ステップ２００６のID読み取りはステップ２００３の前に行い、ステップ２００５は行わない。
【００２３】
次に、記録・再生機器１において、制御装置１２は、通信装置１１において受信・再生装置２から受信したIDが、記録装置１５に記録しているIDと一致するか否かを確認する（ステップ２００８）。一致しないならば（ステップ２００８のNo）、処理を終了する。一致したならば（ステップ２００８のYes）、制御装置１２は、コンテンツを暗号化し（ステップ２００９）、通信装置１１は、暗号化したコンテンツを受信・再生装置２に送信する（ステップ２０１０）。ステップ２００４において、コピーフリーコンテンツだった場合は、ステップ２０００９の暗号化は行わなくてもよい。また、ステップ２０１０において、コンテンツ共に、このコンテンツの再生機能を実装したコンポーネント形式のプログラムを、受信・再生装置２に送信してもよい。
【００２４】
次に、受信・再生装置２において、制御装置２２は、通信装置２１において記録・再生機器１から受信した暗号化されたコンテンツを復号化し、出力装置２５は、復号化されたコンテンツを出力する（ステップ２０１１）。ステップ２０１０において、コンテンツと共に、このコンテンツの再生機能を実装したコンポーネント形式のプログラムを受信した場合は、制御装置２２は、受信したプログラムを用いてコンテンツを再生可能な状態にし、出力装置２５は、復号化されたコンテンツを出力する。
【００２５】
以下、本実施例における記録・送信機器１の記録装置１５において、対応付けて保持されるコンテンツ情報とIDについて、図６を用いて説明する。
図６に示すように、記録装置１５では、保有するコンテンツの固有番号１５１、タイトル１５２、記録日時１５３、記録時間１５４、コンテンツに適用する著作権保護内容１５５、コンテンツ情報を格納済みの外部記憶媒体３のID１５６が対応付けられる。固有番号１５１、タイトル１５２、記録日時１５３、記録時間１５４、著作権保護内容１５５の各欄には、ステップ１００２において、受信した放送コンテンツから生成した各情報が記録される。また、ID１５６の欄には、ステップ１００３において、外部記憶媒体管理装置１３が外部記憶媒体３から読み出したIDが記録される。
【００２６】
以下、本実施例において、外部記憶媒体３で対応付けて保持される、コンテンツ情報と通信情報について、図７を用いて説明する。
図７に示すように、外部記憶媒体３では、コンテンツの固有番号３１、タイトル３２、記録日時３３、記録時間３４、コンテンツに適用する著作権保護内容３５からなるコンテンツ情報と、コンテンツを記録してある機器の固有番号３６、ネットワークアドレス３７、通信手段３８からなる通信情報とが、対応付けて保存されている。各欄には、ステップ１００４で記録・送信機器１の外部記憶媒体管理装置１３が書き込んだコンテンツ情報と通信情報が、対応付けて保持される。
なお、図７では、コンテンツ情報と通信情報をまとめて一度に対応付けているが、コンテンツ情報と通信情報をそれぞれ個別に番号付けし、それらの番号同士を対応付けて記録してもよい。
【００２７】
以下、本実施例における受信・再生機器２における、ステップ２００１での出力装置２５の出力画面について、図８を用いて説明する。
図８は、ステップ２００１において、出力装置２５が、外部記憶媒体管理装置２３が外部記憶媒体３から読み出したコンテンツ情報の一部を出力し、再生するコンテンツを選択するよう利用者に促している画面の例である。利用者は、どのコンテンツがどの機器に記録されているかを知る必要はないため、通信情報は表示しなくてもよい。図８では、ラジオボタン形式で選択してOKボタンをクリックするような構成を示しているが、ラジオボタンでなくても、コンテンツを指定できさえすれば、ドロップダウンリストから選択する方式でも良いし、コンテンツごとのボタンやアイコンをクリックして指定する方式でも良い。
【実施例２】
【００２８】
以下、本発明の実施例２について説明する。
実施例１では、記録・送信機器１ではコンテンツの再生を行なわず、受信・再生機器２ではコンテンツの記録を行なわなかったが、本実施例では、記録・送信機器１、受信・再生機器２共に、コンテンツの記録と再生を行なう場合について説明する。なお、実施例１と重複する個所については、説明を省略する。
まず、本実施例におけるシステムを構成する各機器が、保持し、互いに伝送する情報について、図９を用いて説明する。
【００２９】
実施例１の図２との相違点は、受信・再生機器２が、コンテンツとコンテンツ情報とIDを保持する点である。実施例１では、受信・再生機器２は、記録・送信装置１から送信されたコンテンツと、外部記憶媒体３から読み出したコンテンツ情報とIDを、再生、表示、または送信するのみで記録しないが、実施例２では、受信・再生機器２は、コンテンツとコンテンツ情報とIDを対応付けて、自機器内に保持する。
【００３０】
次に、本実施例における上記のシステムを構成する各機器の概略構成について図１０を用いて説明する。
実施例１の図３との相違点は、記録・送信機器１が、入力装置１６と出力装置１７を有しており、受信・再生機器２が、記録装置２６を有している点である。
入力装置１６は、利用者が記録・送信機器１を操作するための装置である。入力装置１６の例としては、ボタン、スイッチ、キー、ダイアル、スティック、パッド、マウスなどがある。
出力装置１７は、コンテンツの情報、コンテンツの再生結果、記録・送信機器１の操作に関する情報などを、利用者に対して表示する装置である。出力装置１７の例としては、モニタ、ランプ、スピーカ、バイブレータなどがある。
記録装置２６は、コンテンツ、コンテンツ情報、通信情報、外部記憶媒体３のIDなどを記録する装置である。記録装置２６の例としては、ディスク、テープ、半導体などがある。
【００３１】
以下、本実施例において、受信・再生機器２にコンテンツが記録されていない場合に、利用者が受信・再生機器２においてコンテンツを再生しようとする場合のシステムの動作について、図１１を用いて説明する。
実施例１の図５のステップ２０１０において、記録・送信機器１が受信・再生機器２にコンテンツを送信する処理までは、実施例１と同様の動作を行なう。また、コンテンツと共に、コンテンツ再生機能を実装したコンポーネント形式のプログラムを受信再生機器２に送信する場合も、同様である。
【００３２】
その後、受信・再生機器２において、制御装置２２は、通信装置２１において記録・再生機器１から受信した暗号化されたコンテンツを、記録装置２６に転送し、記録させる（ステップ３００１）。次に、制御装置２２は、ステップ２００１において外部記憶媒体管理装置２３が外部記憶媒体３から読み出したコンテンツ情報を、記録装置２６に転送し、記録させる（ステップ３００２）。最後に、制御装置２２は、記録装置２６に記録されている暗号化されたコンテンツを復号化し、出力装置２５は、復号化されたコンテンツを出力する（ステップ３００３）。コンテンツと共に、コンテンツ再生機能を実装したコンポーネント形式のプログラムを受信している場合は、受信したプログラムを用いてコンテンツを再生可能な状態にし、出力装置２５は、復号化されたコンテンツを出力する。
なお、ステップ３００２のコンテンツ情報の記録は、ステップ２００１と同時に行なってもよい。また、ステップ３００３の復号化は、コンテンツが暗号化されていない場合には行なわない。
【００３３】
以下、本実施例において、受信・再生機器２にコンテンツが記録されている場合に、利用者が受信・再生機器２においてコンテンツを再生しようとする場合のシステムの動作について、図１２を用いて説明する。
まず、受信・再生機器２において、利用者が入力装置２４を操作し、コンテンツ一覧を表示するよう指示すると、制御装置２２は、記録装置２６に記録されたコンテンツ情報を出力装置２５に転送し、表示させる（ステップ４００１）。次に、利用者が入力装置２４を操作し、コンテンツを選択すると、制御装置２２は、そのコンテンツを特定する（ステップ４００２）。
【００３４】
次に、制御装置２２は、指示されたコンテンツが、他の機器（本実施例においては、記録・送信機器１）から配信されたものなのか、放送を受信するなどして自機器が直接得たものなのかを、記録装置２６に記録されたコンテンツ情報を用いて確認する（ステップ４００３）。
他の機器から配信されたものである場合（ステップ４００３のYes）、制御装置２２は、指定されたコンテンツがコピーフリーか否かを、記録装置２６に記録されたコンテンツ情報を用いて確認する（ステップ４００４）。
コピーフリーでない場合（ステップ４００４のNo）、制御装置２２は、指定されたコンテンツに対応付けられたIDを持つ外部記憶媒体３が接続されているかどうかを、外部記憶媒体管理装置２３を介して確認する（ステップ４００５）。
【００３５】
対応するIDを持つ外部記憶媒体３が接続されていない場合（ステップ４００５のNo）、制御装置２２は、適切な外部記憶媒体３を接続するよう利用者に促す画面を、出力装置２５に表示させる（ステップ４００６）。
指定されたコンテンツが自機器が直接得たものである場合（ステップ４００３のNo）、または、指定されたコンテンツがコピーフリーである場合（ステップ４００４のYes）、または、対応するIDを持つ外部記憶媒体３が接続されている場合（ステップ４００５のYes）は、制御装置２２は、記録装置２６に記録されている暗号化されたコンテンツを復号化し、出力装置２５は、復号化されたコンテンツを出力する（ステップ４００７）。コンテンツと共に、コンテンツ再生機能を実装したコンポーネント形式のプログラムを受信している場合は、受信したプログラムを用いてコンテンツを再生可能な状態にし、出力装置２５は、復号化されたコンテンツを出力する。なお、ステップ４００７の復号化は、コンテンツが暗号化されていない場合には行なわない。
【００３６】
なお、ステップ４００３、ステップ４００４、ステップ４００５は、互いに順番が入れ替わってもよい。
なお、ステップ４００５は、ステップ４００７において、コンテンツ再生機能を実装したコンポーネント形式のプログラムが行なってもよい。
【００３７】
以下、本実施例において、記録・送信機器１にコンテンツが記録されている場合に、利用者が記録・送信機器１においてコンテンツを再生しようとする場合のシステムの動作について、図１３を用いて説明する。
まず、記録・送信機器１において、利用者が入力装置１６を操作し、コンテンツ一覧を表示するよう指示すると、制御装置１２は、記録装置１５に記録されたコンテンツ情報を出力装置１７に転送し、表示させる（ステップ５００１）。次に、利用者が入力装置１６を操作し、コンテンツを選択すると、制御装置１２は、そのコンテンツを特定する（ステップ５００２）。
【００３８】
次に、制御装置１２は、指示されたコンテンツが、他の機器（本実施例においては、受信・再生機器２）に配信されたか否かを、記録装置１５に記録されたコンテンツ情報を用いて確認する（ステップ５００３）。
他の機器に配信されている場合（ステップ５００３のYes）、制御装置１２は、指定されたコンテンツがコピーフリーか否かを、記録装置１５に記録された配信情報を用いて確認する（ステップ５００４）。
コピーフリーでない場合（ステップ５００４のNo）、制御装置１２は、指定されたコンテンツに対応付けられたIDを持つ外部記憶媒体３が接続されているかどうかを、外部記憶媒体管理装置１３を介して確認する（ステップ５００５）。
【００３９】
対応するIDを持つ外部記憶媒体３が接続されていない場合（ステップ５００５のNo）、制御装置１２は、適切な外部記憶媒体３を接続するよう利用者に促す画面を、出力装置１７に表示させる（ステップ５００６）。
指定されたコンテンツが他の機器に配信されていない場合（ステップ５００３のNo）、または、指定されたコンテンツがコピーフリーである場合（ステップ５００４のYes）、または、対応するIDを持つ外部記憶媒体３が接続されている場合（ステップ５００５のYes）は、制御装置１２は、記録装置１５に記録されている暗号化されたコンテンツを復号化し、出力装置１７は、復号化されたコンテンツを出力する（ステップ５００７）。コンテンツ再生機能を実装したコンポーネント形式のプログラムを用いてコンテンツを再生可能な状態にし、出力装置１７は、復号化されたコンテンツを出力してもよい。なお、ステップ５００７の復号化は、コンテンツが暗号化されていない場合には行なわない。
【００４０】
なお、ステップ５００３、ステップ５００４、ステップ５００５は、互いに順番が入れ替わってもよい。
なお、ステップ５００５は、ステップ５００７において、コンテンツ再生機能を実装したコンポーネント形式のプログラムが行なってもよい。
【００４１】
以下、本実施例において、記録・送信機器１の記録装置１５において対応付けて保持される、コンテンツ情報とIDと配信情報について、図１４を用いて説明する。
実施例１の図６との相違点は、コンテンツの配信日時１５７と配信先の機器ID１５８からなる配信情報を有している点である。配信日時１５７の欄には、ステップ２０１０で記録・送信機器１の通信装置１１が受信・再生機器２にコンテンツを送信した日時が保持され、配信先機器ID１５８の欄には、コンテンツの配信先の機器（本実施例では受信・再生機器２）のIDが保持される。なお、図６では、配信情報として、配信日時と配信先機器IDがあるとしたが、その他に、配信に利用した通信情報、有効期限などを含んでもよい。また、配信情報は、単に、配信実績の有無のみでもよい。
【００４２】
以上、本発明の実施形態について説明した。
本発明の実施形態によれば、外部記憶媒体３のIDを用いた確認により、コンテンツデータの配信先の機器が外部記憶媒体３と接続しているか否かが分かる。このため、記録・送信機器１は、登録してある固有情報をもつ外部記憶媒体３が接続している受信・再生機器２にのみ、コンテンツデータを配信することができる。
【００４３】
また、本発明の実施例２の実施形態によれば、記録・送信機器１にコンテンツの再生手段があり、受信・再生機器２にコンテンツの記録手段がある場合においても、同一コンテンツの再生は、外部記憶媒体３が接続されているどちらか片方の機器に限られる。このため、実際には暗号化されたコンテンツが両機器に記録されていたとしても、実質的にはコンテンツを複製していないのと同じこととなる。
また、本発明の実施例２の実施形態によれば、利用者にはあたかも外部記憶媒体３内にコンテンツデータが格納されているように見え、実際の格納先を気にすることなく再生させて視聴することができる。
また、本発明の実施例２の実施形態によれば、記録・送信機器１が、コンテンツと共に、コンテンツの再生機能を実装したコンポーネント形式のプログラムを受信・再生機器２に送信し、受信・再生機器２は、このプログラムを用いてコンテンツを再生可能な状態にする。このため、受信・再生機器２は、対応していない符号化方式のコンテンツであっても、再生することができる。また、受信・再生機器２が、外部記憶媒体３が接続されている場合にのみコンテンツを再生するという機能を実装していなくても、前期プログラムを利用して実現することができる。
【００４４】
以上のように、本発明の実施形態によれば、ディジタルコンテンツの著作権を保護しつつ、使い勝手よく別機器でコンテンツを再生する仕組みを提供することができる。
なお、本実施形態では、外部記憶媒体３に格納するコンテンツ情報や通信情報は、記録・送信機器１が接続時に書き込むとして説明したが、外部記憶媒体３の個体識別が可能ならば、直接接続していなくてもよい。例えば、記録・送信機器１は、ネットワーク４を介してコンテンツ情報を受信・再生機器２に送信し、受信・再生機器２に接続している外部記憶媒体３のIDを確認した後、外部記憶媒体３に対して情報を書き込ませてもよい。
このようにすると、利用者が外部記憶媒体３を宅外に持ち出して、友人宅の受信・再生機器２から自宅の記録・送信機器１に記録されたコンテンツを視聴している場合などに、記録・送信機器１が新しく受信して記録したコンテンツを視聴することが可能となる。
【００４５】
また、本実施形態では、外部記憶媒体３のIDをコンテンツ再生の鍵とし、外部記憶媒体３のIDが複製されないことをもって、同一コンテンツの同時再生を防ぐとしたが、複製されなければ、コンテンツ再生の鍵は外部記憶媒体３のIDでなくともよい。例えば、実体を持たない電子情報を再生の鍵として用いる場合は、記録・送信機器１と受信・再生機器２が、互いに鍵情報を複製しないように、相手に鍵情報を送信した直後に自機器内の鍵情報を消去するなどの仕組みを実装すればよい。
【００４６】
このようにすると、自宅の記録・送信機器１に記録されたコンテンツを、別荘の複数の受信・再生機器２から、それぞれ個別に視聴することが可能となる。
また、本実施形態では、記録・送信機器１と、受信・再生機器２と、外部記憶媒体３との間の互いの通信のセキュリティについては述べていないが、一般の暗号通信方式を用いて、セキュリティを考慮するものとする。例えば、ハッシュ関数などの一方向関数を使ってIDを変換して通信し、通信経路の情報を盗み見られた場合でもIDが分からないようにしてもよい。
また、本実施形態では、記録・送信機器１と受信・再生機器２は別々の機器として説明したが、１つの機器が両方の機能を有しており、その機器の一部が分離するような機器を用いてもよい。
また、本実施形態における、コンテンツの暗号・復号処理は、コンテンツの符号化・逆符号化を含む。
【図面の簡単な説明】
【００４７】
【図１】本発明の実施形態における、システムの構成概要を示した図である。
【図２】本発明の実施例１において、システムを構成する各機器が、保持し、互いに伝送する情報について示した図である。
【図３】本発明の実施例１における、システムを構成する各機器の概略構成を示した図である。
【図４】本発明の実施形態において、外部記憶媒体３が接続されている場合の記録・送信機器１の動作を示したフロー図である。
【図５】本発明の実施例１において、利用者が、外部記憶媒体３を受信・再生機器２に接続して、コンテンツを再生しようとする場合のシステムの動作を示したフロー図である。
【図６】本発明の実施例１における、記録装置１５に記録される情報の例を示した図である。
【図７】本発明の実施例１における、外部記憶媒体３に記録される情報の例を示した図である。
【図８】本発明の実施例１における、ステップ２００１における出力装置２５の出力画面の例を示した図である。
【図９】本発明の実施例２において、システムを構成する各機器が、保持し、互いに伝送する情報について示した図である。
【図１０】本発明の実施例２における、システムを構成する各機器の概略構成を示した図である。
【図１１】本発明の実施例２において、受信・再生機器２にコンテンツが記録されていない場合に、利用者がコンテンツを再生しようとする場合のシステムの動作を示したフロー図である。
【図１２】本発明の実施例２において、受信・再生機器２にコンテンツが記録されている場合に、利用者がコンテンツを再生しようとする場合のシステムの動作を示したフロー図である。
【図１３】本発明の実施例２において、記録・送信機器１にコンテンツが記録されている場合に、利用者がコンテンツを再生しようとする場合のシステムの動作を示したフロー図である。
【図１４】本発明の実施例２における、記録装置１５に記録される情報の例を示した図である。
【符号の説明】
【００４８】
１…記録・送信機器
２…受信・再生機器
３…外部記憶媒体
４…ネットワーク
【図１】
2005267304.tif 000003
【図２】
2005267304.tif 000004
【図３】
2005267304.tif 000005
【図４】
2005267304.tif 000006
【図５】
2005267304.tif 000007
【図６】
2005267304.tif 000008
【図７】
2005267304.tif 000009
【図８】
2005267304.tif 000010
【図９】
2005267304.tif 000011
【図１０】
2005267304.tif 000012
【図１１】
2005267304.tif 000013
【図１２】
2005267304.tif 000014
【図１３】
2005267304.tif 000015
【図１４】
2005267304.tif 000016